(57)【要約】【課題】カーペット内のゴミを確実に捕捉すること。【解決手段】床面上を転動してゴミを掻き上げる掻き上げ体１６と、掻き上げ体１６が掻き上げたゴミを捕捉する粘着ロール２０とを有する清掃具１０であって、床面上を突き進んでゴミを掻き出す掻き出し手段６０を掻き上げ体１６の後部に近接配置したしたもの。【選択図】  図５
2005006778.tif 000002
【特許請求の範囲】
【請求項１】
床面上を転動してゴミを掻き上げる掻き上げ体と、掻き上げ体が掻き上げたゴミを捕捉する粘着体とを有する清掃具であって、
床面上を突き進んでゴミを掻き出す掻き出し手段を掻き上げ体の後部に近接配置した清掃具。
【請求項２】
前記掻き上げ体の後部に塵取部を配置した請求項１に記載の清掃具。
【請求項３】
前記掻き出し手段が塵取部のすくい面部に設けられる先端ブラシ体である請求項２に記載の清掃具。
【発明の詳細な説明】
【０００１】
【発明の属する技術分野】
本発明は清掃具に関する。
【０００２】
【従来の技術】
清掃具として、特許文献１に記載の如く、床面上を転動してゴミを掻き上げるブラシ車をフレームに支持し、フレームにおけるブラシ車の後部に塵取部を支持し、ブラシ車が掻き上げたゴミを塵取部にて捕捉するものがある。
【０００３】
【特許文献１】
特許第３３６１３２７号（１頁、図１）
【０００４】
【発明が解決しようとする課題】
従来技術には以下の問題点がある。
▲１▼カーペットの清掃時に、ブラシ車がカーペットの毛足にからみ付いているペットの毛等まで掻き上げることに困難がある。
【０００５】
▲２▼ブラシ車がカーペットの毛足の深い位置まで潜りにくく、カーペットの毛足の深い部分のゴミ等を掻き上げにくい。
【０００６】
▲３▼カーペットの清掃時に、塵取部のすくい面部はカーペットの毛足の上面に沿って移動し、カーペットの毛足の深い位置まで潜り込まず、ブラシ車が掻き上げたゴミを塵取部のすくい面部の下方から床後方に逃がすおそれがある。
本発明の課題は、カーペット内のゴミを確実に捕捉することにある。
【０００７】
【課題を解決するための手段】
請求項１の発明は、床面上を転動してゴミを掻き上げる掻き上げ体と、掻き上げ体が掻き上げたゴミを捕捉する粘着体とを有する清掃具であって、床面上を突き進んでゴミを掻き出す掻き出し手段を掻き上げ体の後部に近接配置したものである。
【０００８】
【発明の実施の形態】
清掃具１０は、図１、図２に示す如く、柄１１の先端部に継手部１２を介して支持アーム１３を結合し、支持アーム１３の両側アーム部１３Ａに支軸部１４（不図示）を介してフレーム１５を前後方向に揺動自在に支持している。
【０００９】
フレーム１５の前部には可撓掻き上げ体１６が回転軸１７を介して回動自在に支持され、フレーム１５の後部には回転体１８が回転軸１９を介して回動自在に支持され、掻き上げ体１６と回転体１８は平行に並べられて配置される。
【００１０】
掻き上げ体１６は、支軸１６Ａと、支軸１６Ａの周囲に、軸方向の全長に渡ってブラシが植設されたブラシ車からなる掻き上げ部１６Ｂと、支軸１６Ａの両端部に結合された両側のタイヤ部１６Ｃからなり、タイヤ部１６Ｃに前述の回転軸１７を備える。掻き上げ部１６Ｂは粘着ロール２１（粘着体）に接触しても、接触しなくても良い。両側のタイヤ部１６Ｃはフレーム１５の両外側に配置される。掻き上げ体１６は、タイヤ部１６Ｃを床面上で転動させることにより、支軸１６Ａとともに回転する掻き上げ部１６Ｂにより床面上のゴミを掻き上げる。
【００１１】
回転体１８は、支軸１８Ａと、支軸１８Ａの軸方向の両端側２位置（軸方向３位置等の複数位置でも可）に設けられる円盤状の回転子１８Ｂと、支軸１８Ａの両端部に固定された両側のタイヤ部１８Ｃからなり、タイヤ部１８Ｃは前述の回転軸１９を備える。回転子１８Ｂは粘着ロール２１に接触する。両側のタイヤ部１８Ｃはフレーム１５の両外側に配置され、床面上を転動する。尚、回転体１８の回転子１８Ｂは、シリコンゴム製Ｏリング等の環状リング１８Ｄを外周に備える。環状リング１８Ｄは回転子１８Ｂに設けた環状溝に装填される。
【００１２】
清掃具１０は、掻き上げ体１６の掻き上げ部１６Ｂが掻き上げたゴミを捕捉するゴミ捕捉手段２０を、粘着ロール２１と塵取部２３により構成する。
【００１３】
即ち、掻き上げ体１６と回転体１８の回転子１８Ｂ（環状リング１８Ｄ）の上には、それらに跨がる粘着ロール２１が乗せられ、粘着ロール２１は掻き上げ体１６と回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１４】
フレーム１５における掻き上げ体１６の後部には塵取部２３が支持されている。塵取部２３は、床面に接する底面部２３Ａと、掻き上げ体１６に隙間なく（又は隙間を介して）相対する曲面状（又は平面状）のすくい面部２３Ｂと、回転体１８の回転子１８Ｂの下方の前後に渡る範囲に延在される凹状のゴミ受け部２３Ｃを有する。塵取部２３は、フレーム１５に後述する如くに上下に揺動可能に支持され、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、その全てのゴミをすくい面部２３Ｂにより粘着ロール２１の側にガイドし、大きなゴミはすくい面部２３Ｂに後続するゴミ受け部２３Ｃに送り込む。
【００１５】
清掃具１０では、塵取部２３をフレーム１５に対し、掻き上げ体１６とは独立に上下に揺動可能に支持するとともに、塵取部２３のゴミ受け部２３Ｃをフレーム１５から開放可能に支持した。
【００１６】
具体的には、塵取部２３における掻き上げ体１６に近い側の前側端を揺動部４０（塵取部２３の前端側両側面に設けたピン４１を、フレーム１５の両側壁に設けた長孔４２の中で上下動可能に係入したもの）によりフレーム１５に揺動可能に支持する。また、塵取部２３における掻き上げ体１６から遠い側の後側端に設けた係脱部５０の孔５１を、フレーム１５に設けた係脱可能ピン５２に係脱可能にし、孔５１を係脱可能ピン５２から外して塵取部２３の後側端をフレーム１５から開放可能に支持する。塵取部２３の孔５１をフレーム１５の係脱可能ピン５２に係入した状態で、係脱可能ピン５２を塵取部２３の揺動の中心軸とし、塵取部２３の孔５１をフレーム１５の係脱可能ピン５２から外した状態で、揺動部４０を塵取部２３の開放の中心軸とする。
【００１７】
しかるに、清掃具１０にあっては、清掃具１０の前進時に床面上を突き進んでゴミを掻き出す掻き出し手段６０を、掻き上げ体１６の掻き上げ部１６Ｂの後部に近接配置した。掻き出し手段６０は、図３、図４に示す如く、塵取部２３のすくい面部２３Ｂの前縁の下端面に、該すくい面部２３Ｂの幅方向の全長に渡って平板状ブラシ群を構成するように、ナイロン等の合成樹脂製ブラシを植設した先端ブラシ体６１からなる。先端ブラシ体６１は、すくい面部２３Ｂの前縁の下端面から、すくい面部２３Ｂが床面に対してなすすくい面角に沿って突設され、すくい面部２３Ｂと同一面をなす。
【００１８】
清掃具１０による清掃動作は以下の如くなされる。（図５）
（１）柄１１の軸方向に加える操作力により清掃具１０を前進させ、掻き上げ体１６及び回転体１８を床面上にて転動させるとともに、塵取部２３及び先端ブラシ体６１を床面上に摺接させ、同時に粘着ロール２１を掻き上げ体１６、回転体１８の回転に連れ回りさせる。
【００１９】
（２）掻き上げ体１６の掻き上げ部１６Ｂが床面上のゴミを掻き上げると、このゴミは塵取部２３のすくい面部２３Ｂにガイドされて粘着ロール２１の側に送り出され、粘着ロール２１の粘着面に吸着捕捉される。大きなゴミはすくい面部２３Ｂからゴミ受け部２３Ｃに送り込まれる。
【００２０】
（３）カーペットの清掃時には、（ａ）清掃具１０の前進に伴ない、図５（Ａ）に示す如く、掻き出し手段６０を構成する塵取部２３の先端ブラシ体６１がカーペットの毛足の深い部分に潜り込んで突き進み、カーペットの毛足にからみ付いているペットの毛等や、カーペットの毛足の深い部分のゴミＤをからみ取り、又は突き刺す等により掻き取り、これらのゴミＤをカーペット上に掻き出す如くに取り出す。
【００２１】
（ｂ）清掃具１０の上述（ａ）の前進に続く後退時には、図５（Ｂ）に示す如く、先端ブラシ体６１により掻き出した上述のゴミＤが先端ブラシ体６１からカーペット上に抜け落ちる。この後退時に逆転中の掻き上げ体１６の掻き上げ部１６Ｂがこの抜け落ちたゴミＤに突き刺さり、このゴミＤを粘着ロール２１の側に送り込んで粘着ロール２１に吸着捕捉する。
【００２２】
（ｃ）清掃具１０の上述（ｂ）の後退に続く前進時には、図５（Ｃ）に示す如く、正転する掻き上げ体１６の掻き上げ部１６Ｂが先端ブラシ体６１からカーペット上に抜け落ちたゴミＤに突き刺さり、このゴミＤを塵取部２３のすくい面部２３Ｂに沿って粘着ロール２１の側に送り込んで粘着ロール２１に吸着捕捉し、又はすくい面部２３Ｂからゴミ受け部２３Ｃに送り込む。
【００２３】
（４）透明カバー１５Ａを通して粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００２４】
本実施形態によれば以下の作用効果を奏する。
▲１▼カーペットの清掃時に、掻き出し手段６０はカーペットの毛足の中を突き進み、カーペットの毛足にからみ付いているペットの毛等のゴミを掻き出してカーペット上に確実に取り出し可能にする。
【００２５】
▲２▼掻き出し手段６０は、カーペットの毛足の深い位置まで潜り込んで突き進み、カーペットの毛足の深い部分のゴミを掻き出してカーペット上に確実に取り出し可能にする。
【００２６】
▲３▼上述▲１▼、▲２▼によって掻き出し手段６０によりカーペット上に取り出されたゴミは、その後、掻き上げ体１６に掻き上げられてゴミ捕捉手段２０たる粘着ロール２１又は塵取部２３に捕捉される。
【００２７】
▲４▼掻き出し手段６０を塵取部２３のすくい面部２３Ｂに設けた先端ブラシ体６１にて構成したから、清掃具１０の前進時に、先端ブラシ体６１をカーペットの毛足の深い部分に容易に潜り込ませて突き進ませることができ、カーペットの毛足にからみついているペットの毛等や、カーペットの毛足の深い部分のゴミをからめ取ったり、突き刺して確実に掻き出しできる。
【００２８】
先端ブラシ体６１にすくい取ったゴミは、清掃具１０の後退時に、先端ブラシ体６１からカーペット上に容易に抜け落ち、その後、掻き上げ体１６に掻き上げられてゴミ捕捉手段２０たる粘着ロール２１又は塵取部２３に捕捉される。
【００２９】
▲５▼塵取部２３のすくい面部２３Ｂの先端部を尖らせると、すくい面部２３Ｂが床面に隙間なく滑らかにつながるゴミガイド面を構成し、ゴミのすくい取りによる捕集性能は向上するが、これをカーペットに用いると、すくい面部２３Ｂの尖った先端部がカーペットに引っかかって操作しづらくなる。このため、塵取部２３のすくい面部２３Ｂの先端部は丸められており、すくい面部２３Ｂは十分なすくい取り捕集性能を発現できないし、すくい面部２３Ｂがカーペットの毛足の上面に沿って移動し、カーペット内で掻き上げ体１６が掻き上げたゴミをすくい面部２３Ｂの下方から床後方に逃すおそれもある。掻き出し手段６０のブラシ体６１を塵取部２３のすくい面部２３Ｂの先端部に設けることで、ブラシ体６１がすくい面部２３Ｂから床面に隙間なく滑らかにつながるゴミガイド面（多数の架橋）を完全に構成するものとなり、すくい面部２３Ｂの先端部を尖らせたと同様のゴミのすくい取りによる捕集性能を得ることができ、カーペット内で掻き上げ体１６が掻き上げたゴミをすくい面部２３Ｂの下方から床後方に逃すことなく、ブラシ体６１〜すくい面部２３Ｂによって粘着ロール２１又はゴミ受け部２３Ｃの側に送り込みできる。
【００３０】
尚、本発明の清掃具は、掻き出し手段を可撓性のブラシ体によるものとせず、硬いくし歯状体にて構成しても良い。即ち、本発明の掻き出し手段は、カーペットの種類によっては硬いくし歯状体にて実現することもできるが、可撓性のブラシ体であればカーペットの種類を選ばずに実現できる。カットパイルのようにカーペットの毛先端が切り揃えられているものに用いる場合には、くし歯状体のように硬い掻き出し手段でも不都合を生じないが、ループパイルのようにカーペットの毛先端が毛を曲げた形状からなるものに用いる場合には、硬い掻き出し手段ではループに引っかかり、清掃具が前進できなくなるおそれもある。
【００３１】
また、掻き出し手段を可撓性のブラシ体にて構成すると、凹凸面のある清掃面、例えばフローリングの溝等がある清掃面に用いる場合に、凹部にあたるブラシのみが凹部に突き進むことができ、凹み部分のゴミを突き刺して確実に掻き出しできる。
【００３２】
また、本発明の清掃具は、塵取部を備えることを必須とせず、掻き出し手段を塵取部と別体のブラシ体、くし歯状体等によって構成することができる。
【００３３】
【発明の効果】
本発明によれば、カーペット内のゴミを確実に補足することができる。
【図面の簡単な説明】
【図１】図１は清掃具を示す模式側面図である。
【図２】図２は清掃具を示す模式平面図である。
【図３】図３は塵取部の先端ブラシ体を示す模式斜視図である。
【図４】図４は塵取部の先端ブラシ体を示す模式側面図ある。
【図５】図５は先端ブラシ体によるゴミすくい取り状況を示す模式側面図である。
【符号の説明】
１０  清掃具
１６  掻き上げ体
２０  ゴミ捕捉手段
２１  粘着ロール
２３  塵取部
２３Ｂ  すくい面部
６０  掻き出し手段
６１  先端ブラシ体
【図１】
2005006778.tif 000003
【図２】
2005006778.tif 000004
【図３】
2005006778.tif 000005
【図４】
2005006778.tif 000006
【図５】
2005006778.tif 000007